(57)【要約】【課題】連結状態から簡単に外すことが可能な連結具を提供する。【解決手段】連結具１０は、オス側部材２０とメス側部材３０とを備え、差込部２２の先端側には湾曲部２２５が設けられていて、メス側部材３０は、ソケット穴４２１に配置されるフック部５３と、メス側部材３０の天面側に設けられ一端側を支点として揺動可能に設けられる揺動部６３とを有し、フック部５３には、弾性変形可能に設けられるアーム５３ａと、アーム５３ａの先端側に設けられ凹嵌部２２１に位置してオス側部材２０との連結状態を保持する保持突起５３ｂとが設けられていて、揺動部６３には、ソケット穴４２１側に突出して設けられると共に、湾曲部２２５を押し込む突起部６５が設けられていて、突起部６５が湾曲部２２５を押し込むことで、差込部２２がソケット穴４２１から抜ける向きに移動して保持突起５３ｂは凹嵌部２２１への嵌まり込みが解除される。【選択図】図１
2014100419.tif 000002
【特許請求の範囲】
【請求項１】
外周側に凹嵌部が設けられている差込部を有するオス側部材と
前記差込部が差し込まれるソケット穴を有するメス側部材と、
を備え、
前記差込部の先端側には、湾曲部が設けられていて、
前記メス側部材には、前記ソケット穴に配置されるフック部と、前記メス側部材の外面側に押し込み可能に設けられると共に一端側を支点として揺動可能に設けられる揺動部とが設けられ、
さらに前記メス側部材には、前記ソケット穴側に突出して設けられると共に、前記湾曲部を押し込む突起部が設けられていて、
前記フック部には、弾性変形可能に設けられるアームと、前記アームの先端側に設けられると共に前記凹嵌部に位置してオス側部材との連結状態を保持する保持突起とが設けられていて、
前記突起部が前記湾曲部を押し込むことで、前記差込部が前記ソケット穴から抜ける向きに移動し、その移動によって前記保持突起は前記凹嵌部への嵌まり込みが解除される、
ことを特徴とする連結具。
【請求項２】
請求項１記載の連結具であって、
前記ソケット穴は、ソケット部材に設けられていて、
前記揺動部は、前記ソケット部材に対してスライド可能なボタン部材に設けられていて、
前記ソケット部材には、前記ソケット穴に連通するボタン用開口部が設けられていて、このボタン用開口部には前記ボタン部材がスライド可能に配置されていて、
前記ボタン用開口部のうち前記一端側とは反対の他端側には、受部が設けられていて、前記ボタン部材が前記他端側にスライドした場合には、前記受部が前記揺動部の先端側を受け止めて前記揺動部の揺動を規制すると共に、
前記ボタン部材には、前記ソケット穴の内部に配置されるロック突起が設けられていて、前記ロック突起は、前記他端側へスライドする場合に前記フック部の外方に位置して、前記凹嵌部から前記保持突起が外れる向きに前記アームが撓むのを阻止する、
ことを特徴とする連結具。
【請求項３】
請求項１または２記載の連結具であって、
前記フック部は、爪部材に設けられていて、この爪部材は前記ソケット部材に取り付けられていて、
前記爪部材は、一対の前記フック部と、その一対の前記フック部の間に位置すると共に、前記差込部に設けられるガイド孔に差し込まれる案内ロッドとを備える、
ことを特徴とする連結具。
【発明の詳細な説明】
【技術分野】
【０００１】
本発明は、リュックサック、ポーチ、帽子等のベルトを留める部分に用いられる連結具に関する。
【背景技術】
【０００２】
連結具の一種であるバックルは、リュックサック、ポーチ、帽子等のような、布製のバンドやベルト、蓋等を用いるものに多く用いられている。このようなバックルは、一般的には、特許文献１に示すようなタイプが多い。特許文献１に示すタイプのバックルは、そのバックルの両側辺に押し込む部分が設けられていて、バックルの側方に位置するアームを押し込むと、一方の部材と他方の部材の連結状態が解除される。
【先行技術文献】
【特許文献】
【０００３】
【特許文献１】特開２０１１−２５４９１４号公報
【発明の概要】
【発明が解決しようとする課題】
【０００４】
特許文献１の構成では、側方に位置するアームを押して、連結状態を解除している。しかしながら、この構成では、揺動するアームを側方から押しているが、側方から内側に押すことが可能なストロークは限られているので、外れ難いという問題がある。また、この構成では、両側方に位置するアームを押しているので、結果として２つのアームを押している。そのため、１つの指で押して連結状態を解除することができず、操作性が悪い、という問題がある。
【０００５】
本発明は上記の事情にもとづきなされたもので、その目的とするところは、連結状態から簡単に外すことが可能な連結具を提供しよう、とするものである。
【課題を解決するための手段】
【０００６】
上記課題を解決するために、本発明の連結具の第１の観点によると、外周側に凹嵌部が設けられている差込部を有するオス側部材と差込部が差し込まれるソケット穴を有するメス側部材と、を備え、差込部の先端側には、湾曲部が設けられていて、メス側部材には、ソケット穴に配置されるフック部と、メス側部材の外面側に押し込み可能に設けられると共に一端側を支点として揺動可能に設けられる揺動部とが設けられ、さらにメス側部材には、ソケット穴側に突出して設けられると共に、湾曲部を押し込む突起部が設けられていて、フック部には、弾性変形可能に設けられるアームと、アームの先端側に設けられると共に凹嵌部に位置してオス側部材との連結状態を保持する保持突起とが設けられていて、突起部が湾曲部を押し込むことで、差込部がソケット穴から抜ける向きに移動し、その移動によって保持突起は凹嵌部への嵌まり込みが解除される、ことを特徴とする連結具が提供される。
【０００７】
また、本発明の他の側面は、上述の発明において、ソケット穴は、ソケット部材に設けられていて、揺動部は、ソケット部材に対してスライド可能なボタン部材に設けられていて、ソケット部材には、ソケット穴に連通するボタン用開口部が設けられていて、このボタン用開口部にはボタン部材がスライド可能に配置されていて、ボタン用開口部のうち一端側とは反対の他端側には、受部が設けられていて、ボタン部材が他端側にスライドした場合には、受部が揺動部の先端側を受け止めて揺動部の揺動を規制すると共に、ボタン部材には、ソケット穴の内部に配置されるロック突起が設けられていて、ロック突起は、他端側へスライドする場合にフック部の外方に位置して、凹嵌部から保持突起が外れる向きにアームが撓むのを阻止する、ことが好ましい。
【０００８】
さらに、本発明の他の側面は、上述の発明において、フック部は、爪部材に設けられていて、この爪部材はソケット部材に取り付けられていて、爪部材は、一対のフック部と、その一対のフック部の間に位置すると共に、差込部に設けられるガイド孔に差し込まれる案内ロッドとを備える、ことが好ましい。
【発明の効果】
【０００９】
本発明によると、連結状態から簡単に外すことが可能な連結具とすることが可能となる。
【図面の簡単な説明】
【００１０】
【図１】本発明の一実施の形態に係るバックルの外観を示す斜視図である。
【図２】図１のバックルのオス側部材とメス側部材とが外された状態を示す分解斜視図である。
【図３】図１のバックルのオス側部材の構成を示す平面図である。
【図４】図１のバックルのメス側部材の構成を示す側面図である。
【図５】図４のＡ−Ａ線に沿って差込部を切断した状態を示す正面断面図である。
【図６】図１のメス側部材を上方から見た状態を示す平面図である。
【図７】図１のメス側部材を図６のＢ−Ｂ線に沿って切断した状態を示す側断面図である。
【図８】図１のメス側部材をソケット穴側から見た状態を示す背面図である。
【図９】図１のメス側部材を構成するソケット部材の構成を上方から見た状態を示す平面図である。
【図１０】図９のソケット部材をＣ−Ｃ線に沿って切断した状態を示す側断面図である。
【図１１】図９のソケット部材をソケット穴側から見た状態を示す背面図である。
【図１２】図１のメス側部材を構成する爪部材を上方から見たときの状態を示す平面図である。
【図１３】図１２の爪部材をＤ−Ｄ線に沿って切断した状態を示す側断面図である。
【図１４】図１のメス側部材を構成するボタン部材を上方から見たときの状態を示す平面図である。
【図１５】図１４のボタン部材をＥ−Ｅ線に沿って切断した状態を示す側断面図である。
【図１６】図１４のボタン部材の背面図である。
【発明を実施するための形態】
【００１１】
以下、本発明の一実施の形態に係る、連結具としてのバックル１０について、図面を参照しながら説明する。なお、以下の説明では、必要に応じて、方向を特定するために互いに直交するＸＹＺ直交座標系を用いて説明することとする。この中で、バックル１０の長手方向をＸ方向とし、図１等において右側をＸ１側、左側をＸ２側とする。また、バックル１０の短手方向（幅方向）をＹ方向とし、図１において奥側をＹ１側、手前側をＹ２側とする。また、バックル１０の厚み方向をＺ方向（上下方向）とし、後述するソケット孔４２１から見て揺動部６３の存在する側をＺ１側（上側）とし、それとは逆側をＺ２側（下側）とする。
【００１２】
＜１．バックル１０の構成について＞
図１および図２に示すように、バックル１０は、オス側部材２０と、メス側部材３０とを有していて、これらが嵌め合い可能に設けられている。オス側部材２０がメス側部材３０に嵌合されると、その状態が維持されるが、オス側部材２０をメス側部材３０から外す場合には、後述するアーム５３ａの付勢力に抗しつつ、オス側部材２０がメス側部材３０から外される。
【００１３】
オス側部材２０と、メス側部材３０とは、共に樹脂から形成されている。そのような樹脂としては、たとえばＡＢＳ（Acrylonitrile Butadiene Styrene）樹脂、ＰＯＭ（PolyoxymethyleneまたはPloyacetal）、その他、各種の樹脂を用いることが可能である。特に、メス側部材３０のうち、後述する係止体は、ＰＯＭから形成されると弾性や反発性、耐摩耗性に優れたものとなり、好ましい。しかしながら、オス側部材２０とメス側部材３０は、たとえば金属等のような樹脂以外の材質から形成されていても良い。また、オス側部材２０とメス側部材３０の材質を異ならせても良い。たとえば、オス側部材２０とメス側部材３０のうちの一方を樹脂から形成し、他方を樹脂以外の材質（たとえば金属）から形成しても良い。また、オス側部材２０は、異なる材質を組み合わせて形成しても良く、同様にメス側部材３０も異なる材質を組み合わせて形成しても良い。たとえば、雄側部材２０とメス側部材３０は、それぞれ樹脂と樹脂以外の材質（たとえば金属）を組み合わせて形成しても良い。
【００１４】
図２は、オス側部材２０とメス側部材３０とが外された状態を示す分解斜視図である。これらのうち、まず、オス側部材２０から説明する。
【００１５】
図３は、オス側部材２０の構成を示す平面図である。図４は、オス側部材２０の構成を示す側面図である。オス側部材２０は、ベルト取付部２１と、差込部２２とを有している。ベルト取付部２１は、ベルトや紐等のような帯状の部材（以下、これらを含めて帯状部材とする）が取り付けられる部分である。ベルト取付部２１は、枠体２１１を備えていて、その枠体２１１は、図３に示すように、平面視したときに略矩形の環状に設けられている。図４に示すように、枠体２１１は、側方から見ると長手方向の一方側（Ｘ１側）に向かうにつれて、下方側（Ｚ２側）に湾曲する部位を有する形状に設けられている。
【００１６】
この枠体２１１によって囲まれる囲み孔２１２には、枠体２１１に両端が連続している掛止部２１３が配置されていて、その掛止部２１３の両側には、長細い一対のスリット２１４が設けられている。そして、一対のスリット２１４に帯状部材を通しつつ、掛止部２１３に帯状部材を掛け回すことにより、帯状部材が所定の長さで保持される。
【００１７】
図３に示すように、枠体２１１には、差込部２２が連続して設けられている。差込部２２は、その幅方向（Ｙ方向）の両側方から中央側へ窪んだ形状の凹嵌部２２１を有していて、その凹嵌部２２１には、後述する保持突起５３ｂが位置する。凹嵌部２２１には、急斜面部２２２が連続し、さらに急斜面部２２２には頂部２２３を挟んで緩斜面部２２４が連続している。凹嵌部２２１から差込部２２の先端に向かう場合、急斜面部２２２の幅方向（Ｙ方向）の外側に向かって立ち上がる傾斜角度は、後述する緩斜面部２２４よりも大きく設けられている。
【００１８】
緩斜面部２２４は、差込部２２の先端に向かうにつれて、差込部２２の幅方向の中央側に向かうような形状に設けられている。この緩斜面部２２４の幅方向（Ｙ方向）における立ち上がりの傾斜角度は、上述した急斜面部２２２よりも小さく設けられている。
【００１９】
図４は、オス側部材２０を側方から見た状態を示す側面図である。図４に示すように、差込部２２の長手方向（Ｘ方向）の先端側（Ｘ２側）には、湾曲部２２５が設けられている。この湾曲部２２５は、後述するテーパ突起部６５が当接する部分となっている。
【００２０】
なお、上述のような湾曲部２２５とテーパ突起部６５との当接状態において、さらにテーパ突起部６５が押し込まれると、後述する一対のアーム５３ａの間隔が互いに広がるように、当該アーム５３ａが弾性変形させられる。その弾性変形により、保持突起５３ｂが急斜面部２２２にガイドされて頂部２２３を乗り越えると、今度はアーム５３ａの弾性変形による蓄えられた付勢力が開放され、その付勢力によって保持突起５３ｂが緩斜面部２２４に沿って移動し、オス側部材２０がメス側部材３０から勢いよく離れる（飛び出す）。そのため、湾曲部２２５へのテーパ突起部６５の押し込みによって、オス側部材２０とメス側部材３０との間の連結を解除することが可能となっている。
【００２１】
図５は、図４のＡ−Ａ線に沿って差込部２２を切断した状態を示す正面断面図である。図５および図３に示すように、差込部２２には、ガイド孔２２６が設けられている。ガイド孔２２６は、後述する案内ロッド５４の差し込みをガイドする孔部分である。なお、ガイド孔２２６は、スリット２１４に連続するように差込部２２を貫通しているが、そのような連続した形態を採用しない構成としても良い。
【００２２】
次に、メス側部材３０について説明する。メス側部材３０は、オス側部材２０と連結される部材である。図６は、メス側部材３０を上方から見た状態を示す平面図である。図７は、メス側部材３０を図６のＢ−Ｂ線に沿って切断した状態を示す側断面図である。図８は、メス側部材３０をソケット穴４２１側から見た状態を示す背面図である。図６〜図８に示すように、メス側部材３０は、ソケット部材４０と、爪部材５０と、ボタン部材６０とを有していて、ソケット部材４０に爪部材５０とボタン部材６０とが取り付けられることによって、メス側部材３０が構成されている。
【００２３】
図９は、ソケット部材４０の構成を上方から見た状態を示す平面図である。図１０は、ソケット部材４０を図９のＣ−Ｃ線に沿って切断した状態を示す側断面図である。図１１は、ソケット部材４０をソケット穴４２１側から見た状態を示す背面図である。ソケット部材４０は、上述したベルト取付部２１と同様の機能のベルト取付部４１を有している。ベルト取付部４１は、掛止部４１１とスリット４１２とを有しているが、スリット４１２は一対ではなく１つのみ設けられる構成となっている。このため、掛止部４１１の他方側にはスリット４１２が存在しない状態となっている。
【００２４】
また、ソケット部材４０には、連結部４２が設けられている。連結部４２は、オス側部材２０の差込部２２と連結およびその解除を行うための部分である。この連結部４２には、図１１に示すようにソケット穴４２１が設けられている。ソケット穴４２１は、差込部２２を差し込むための穴部分であると共に、爪部材５０を配置するための穴部分でもある。このソケット穴４２１は、長手方向（Ｘ方向）に延伸しているが、その一端側（Ｘ１側）は外部へ開口している。
【００２５】
ソケット穴４２１の上方側（Ｚ１側）には、ボタン部材６０を嵌め込むための開口であるボタン用開口部４２２が連通している。ボタン用開口部４２２の周囲は、リブ４２３で囲まれていて、そのリブ４２３で囲まれる内側がボタン用開口部４２２となっている。そのため、ボタン用開口部４２２は、ソケット部材４０の中央側で比較的大きな面積を占めている。また、ボタン用開口部４２２の幅（Ｙ方向の寸法）は、ソケット穴４２１の幅（Ｙ方向の寸法）よりも小さく設けられている。それにより、ボタン部材６０のフランジ部６６をソケット穴４２１の上側内壁４２１ａに係止させることが可能となっている。
【００２６】
ボタン用開口部４２２のＸ２側には、受部４２４が連続して設けられている。受部４２４は、ボタン部材６０の枠体部６１のＸ２側の部位を受け止める部分である。また、ボタン部材６０がＸ２側にスライドした場合には、受部４２４は、揺動部６３のＸ２側を受け止めて、その揺動部６３の下方への押し込みを規制する部分である。そのため、受部４２４は、その上面が上側内壁４２１ａと同等の高さに位置している。
【００２７】
図１１に示すように、ソケット穴４２１の奥側（Ｘ２側）には、一対の爪孔４２５が設けられている。爪孔４２５は、爪部材５０の係止爪５２を通すための貫通孔である。図９および図１０に示すように、一対の爪孔４２５に挟まれた部位には、支持凸部４２６が設けられている。支持凸部４２６は、爪孔４２５が存在する部位よりもソケット穴４２１の開口側（Ｘ１側）に突出している。支持凸部４２６が爪部材５０のベース部５１を受け止めることで、爪部材５０がソケット穴４２１内部で移動しないように支持される。
【００２８】
図１２は、爪部材５０を上方側（Ｚ１側；天面側）から見たときの状態を示す平面図である。図１３は、図１２の爪部材５０をＤ−Ｄ線に沿って切断した状態を示す側断面図である。図１２に示すように、爪部材５０は、幅方向（Ｙ方向）に延伸する長尺状のベース部５１を備えている。このベース部５１の両端からは、Ｘ２側に向かように、係止爪５２がそれぞれ延伸している。一対の係止爪５２は、鉤状に形成されていて、そのＸ２側の端部の鉤部５２ａは、支持凸部４２６のＸ２側の面に係止される。しかも、この係止では、一対の係止爪５２の間隔が若干広がる状態で、支持凸部４２６の両端側に当接する。それにより、一対の係止爪５２は、その間隔が狭くなろうとすることで支持凸部４２６を押さえ込み、それによって鉤部５２ａが支持凸部４２６に当接する状態となり、爪部材５０がソケット穴４２１から容易に抜けないものとなっている。
【００２９】
爪部材５０には、一対のフック部５３が設けられている。フック部５３は、長尺のアーム５３ａを備え、その付け根がベース部５１の両端寄りの部位（ただし、係止爪５２の付け根よりは中央寄りの部位）に位置している。その付け根位置から、アーム５３ａの一方側（Ｘ１側）に向かうと、一対のアーム５３ａの間の間隔が徐々に広がるように、Ｘ方向に傾斜している。また、アーム５３ａの先端側（Ｘ１側の端部）には、保持突起５３ｂが設けられている。保持突起５３ｂは、爪部材５０の幅方向の中央側を向いて突出している。この保持突起５３ｂは、上述した凹嵌部２２１に入り込むことを可能としている。すなわち、差込部２２をソケット穴４２１に差し込んだ場合、保持突起５３ｂが凹嵌部２２１に位置するように、フック部５３が形成されている。
【００３０】
また、爪部材５０には、案内ロッド５４が設けられている。案内ロッド５４は、差込部２２のガイド孔２２６に差し込まれる部分であり、その差し込みによって、差込部２２のソケット穴４２１への差し込みが案内され、その際に一対のフック部５３は均等に広がる状態となる。なお、本実施の形態では、案内ロッド５４は、その長さをフック部５３よりも長くなっているが、案内ロッド５４がフック部５３よりも短いものとしても良い。
【００３１】
図１４は、ボタン部材６０を上方から見たときの状態を示す平面図である。図１５は、図１４のボタン部材６０をＥ−Ｅ線に沿って切断した状態を示す側断面図である。図１６は、ボタン部材６０の背面図である。図１４に示すように、ボタン部材６０は、枠体部６１を備えていて、その枠体部６１は、平面視したときに略矩形の環状に設けられている。また、図１５に示すように、枠体部６１は、後述するフランジ部６６よりも上下方向（Ｚ方向）に高くなるように設けられている。
【００３２】
枠体部６１のうち他方側の部分（Ｘ２側の部分）は、上述した受部４２４に受け止められる。一方で、枠体部６１および後述するフランジ部６６の一方側の部分（Ｘ１側の部分）は、爪部材５０の上方側（Ｚ１側）に載置される。それにより、メス側部材３０において、ボタン部材６０は、爪部材５０よりも上方側（Ｚ１側）に位置している。図１４および図１５に示すように、枠体部６１で囲まれる空間部６２には、揺動部６３が配置されている。揺動部６３は、その一方側（Ｘ１側）がヒンジ部６４を介して枠体部６１に連結されている。そのため、揺動部６３を押し込むと、ヒンジ部６４が撓み変形し、その撓み変形により揺動部６３はヒンジ部６４側を支点として揺動する。
【００３３】
揺動部６３の他方側（Ｘ２側）の裏面には、下方側（Ｚ２側）に向かうテーパ突起部６５（突起部に対応）が形成されている。テーパ突起部６５には、他方側（Ｘ２側）から一方側（Ｘ１側）に向かうにつれて上方側（Ｚ１）に向かう斜面を有する傾斜部６５ａが設けられている。そして、揺動部６３が押し込まれると、テーパ突起部６５の傾斜部６５ａが湾曲部２２５に当接し、その当接後さらに揺動部６３を押し込むと、オス側部材２０がメス側部材３０から飛び出すことで、これらの間の連結が解除される。
【００３４】
図１４および図１６に示すように、枠体部６１には、フランジ部６６が連続して設けられている。フランジ部６６は、枠体部６１の下方側（Ｚ２側）から一方側（Ｘ１側）の外方と幅方向の両側（Ｙ１側およびＹ２側）から外方側に延伸している。フランジ部６６が一方側（Ｘ１側）と幅方向（Ｙ方向）の外方に延伸することにより、ソケット穴４２１の上側内壁４２１ａが係止され、ボタン部材６０の上方側（Ｚ１側）への抜が阻止される。また、幅方向の両側（Ｙ１側およびＹ２側）のフランジ部６６は、ボタン部材６０がＸ方向にスライドするときのガイドとして機能する。なお、フランジ部６６の幅は、ソケット穴４２１と同等に設けられているが、フランジ部６６がソケット穴４２１に嵌合可能とする程度に、フランジ部６６がソケット穴４２１よりも小さく設けられている。
【００３５】
幅方向の両側（Ｙ１側およびＹ２側）のフランジ部６６の下面側には、ロック突起６７が下方に突出して設けられている。ロック突起６７は、フランジ部６６の幅方向（Ｙ方向）の両端側にそれぞれ設けられていて、ロック突起６７の内側の端部は、フック部５３の幅方向（Ｙ方向）の外側と同等の位置か、それよりも外側に位置している。また、ロック突起６７の奥側（Ｘ２側）の端部の位置は、Ｘ方向においてフック部５３のＸ１側の端部の位置と同等となっている。ボタン部材６０を他方側（Ｘ２側）にスライドさせると、ロック突起６７は、フック部５３の外側に位置し、一対のフック部５３の間隔の広がりが阻止される。それにより、オス側部材２０とメス側部材３０の連結状態がロックされる。
【００３６】
＜２．バックル１０の作用について＞
続いて、バックル１０における作用（動作）について説明する。まず、オス側部材２０とメス側部材３０とが連結されていない状態から、連結する場合の作用について説明する。連結を行う場合、差込部２２をソケット穴４２１に差し込むが、その差し込みにおいては、差込部２２のガイド孔２２６に案内ロッド５４が差し込まれる。さらに差込部２２がソケット穴４２１の奥側へ差し込まれると、保持突起５３ｂが緩斜面部２２４に摺動し、その摺動に伴ってアーム５３ａの弾性力に抗しながらフック部５３の互いの間隔が広げられる。このとき、案内ロッド５４のガイド孔２２６への差し込みにより、いずれか一方のフック部５３に変形が片寄った状態となるのが阻止される。
【００３７】
さらに差し込んでいくと、保持突起５３ｂは頂部２２３に到達し、その後に急斜面部２２２へと移行する。急斜面部２２２を保持突起５３ｂが摺動する場合、フック部５３の互いの間隔は急激に狭まり、直ぐに保持突起５３ｂは凹嵌部２２１に位置する状態となる。このとき、オス側部材２０とメス側部材３０との連結状態となる。そのため、アーム５３ａの有する比較的大きな弾性により、オス側部材２０とメス側部材３０との連結状態は、所定の引っ張り力以下では、維持される。
【００３８】
ここで、オス側部材２０とメス側部材３０との連結状態においては、両者の連結が解除されないように、連結状態のロックが可能である。かかるロックを行う場合には、ボタン部材６０を他方側（Ｘ２側）にスライドさせる。すると、ボタン部材６０のロック突起６７は、フック部５３の外側に位置し、一対のフック部５３の間隔の広がりが阻止される。この場合、保持突起５３ｂが凹嵌部２２１に入り込んだ状態が維持されるので、オス側部材２０とメス側部材３０の連結状態がロックされる。
【００３９】
また、オス側部材２０とメス側部材３０との間の連結を解除する場合には、まずボタン部材６０を一方側（Ｘ１側）に位置させ、揺動部６３を所定以上の押し込み力で押し込む。すると、保持突起５３ｂは急斜面部２２２を摺動し、その摺動に伴ってアーム５３ａの弾性力に抗しながらフック部５３の互いの間隔が急激に広げられ、アーム５３ａに弾性力が蓄えられる。さらに押し込むと、保持突起５３ｂは頂部２２３に到達し、その後に緩斜面部２２４へと移行する。
【００４０】
すると、アーム５３ａの弾性力は急激に開放され、一対のアーム５３ａの間隔が狭くなる向きにアーム５３ａが変形しようする。その変形に伴い、保持突起５３ｂは緩斜面部２２４を摺動し、オス側部材２０が加速して、オス側部材２０がメス側部材３０から勢いよく離れる（飛び出す）。
【００４１】
＜３．効果＞
以上のような構成のバックル１０によると、オス側部材２０とメス側部材３０の連結状態から簡単に外すことが可能となる。すなわち、メス側部材３０の上面側（Ｚ１側）の中央には、揺動可能に設けられる揺動部６３が存在し、その揺動部６３を押し込むと、テーパ突起部６５の傾斜部６５ａが湾曲部２２５を押し込む。この押し込みによって、差込部２２がソケット穴４２１から抜ける向きに移動し、その移動によって保持突起５３ｂの凹嵌部２２１への嵌まり込みが解除される。このため、揺動部６３を一箇所押すだけで、ワンタッチで、オス側部材２０とメス側部材３０との連結状態を解除可能となる。
【００４２】
また、連結状態では、保持突起５３ｂは差込部２２の凹嵌部２２１に位置していて、この状態では、アーム５３ａの弾性（撓み難さ）を利用してオス側部材２０とメス側部材３０との間の連結状態を維持可能となっている。一方で、揺動部６３に所定以上の押し込み力を与えると、保持突起５３ｂが急斜面部２２２と頂部２２３を経た後の、緩斜面部２２４に到達したときに、アーム５３ａの弾性力は急激に開放される。そのため、オス側部材２０がメス側部材３０から勢いよく離れ、明確に連結状態を解除可能となる。
【００４３】
また、本実施の形態では、ボタン用開口部４２２にはボタン部材６０がスライド可能に配置されていて、さらにボタン用開口部４２２のうち他端側（Ｘ２側）には、受部４２４が設けられている。このため、ボタン部材６０が他方側（Ｘ２側）にスライドした場合には、受部４２４が揺動部６３の先端側を受け止めて揺動部６３の揺動を規制する。これと共に、ボタン部材６０には、ソケット穴４２１の内部に配置されるロック突起６７が設けられていて、このロック突起６７は、他端側へスライドする場合にフック部５３の外方に位置して、凹嵌部２２１から保持突起５３ｂが外れる向きにアーム５３ａが撓むのを阻止する。このため、ボタン部材６０を他方側（Ｘ２側）にスライドさせるだけで、連結状態がロックされ、この連結状態を維持することが可能となる。
【００４４】
さらに、本実施の形態では、爪部材５０はソケット部材４０に取り付けられていて、この爪部材５０は、ガイド孔２２６に差し込まれる案内ロッド５４とを備えている。このため、差込部２２のソケット穴４２１への差し込みが良好にガイド可能となり、いずれか一方のフック部５３に変形が片寄った状態となるのが阻止される。それにより、いずれか一方のフック部５３のみが繰り返し大きく変形させられるのが防止可能となり、フック部５３が破損するまでの寿命を長くすることが可能となる。
＜変形例＞
以上、本発明の各実施の形態について説明したが、本発明はこれ以外にも種々変形可能となっている。以下、それについて述べる。
【００４５】
上述の実施の形態では、オス側部材２０とメス側部材３０とは、ベルトや紐等のような帯状の部材を取り付けるためのベルト取付部２１，４１をそれぞれ備えている。しかしながら、オス側部材２０とメス側部材３０とは、ベルト取付部２１，４１を備える代わりに、別のものを備えていても良い。その例としては、次のようなものがある。たとえば、本発明の連結具は、飛び出すおもちゃやコンセント他の各種の機器にも応用できる。コンセントに応用した場合には、ベルト取付部２１，４１に代えて、いずれか一方にコンセント連結部を設け、いずれか他方にコード連結部を設ける。このようにすれば、オス側部材にメス側部材を差し込むことで、電気的な連結状態を簡単に実現可能となる。
【００４６】
また、オス側部材２０とメス側部材３０とは、ベルトや紐等のような帯状の部材以外の部品のものに適用しても良い。たとえば、オス側部材２０やメス側部材３０を、樹脂パーツに埋め込んだり、樹脂パーツやその他のパーツ（金属製のパーツ等）に固定して用いても良い。
【００４７】
また、上述の実施の形態では、バックル１０として、ベルトや紐等のような帯状の部材を用いる場合について説明している。このようなベルトや紐等のような帯状の部材としては、次のようなものが挙げられる。たとえば、リュックサック、ポーチ、帽子等のベルト、収納ケースの蓋または蓋に連続する部分、犬用のリード、靴用のベルト、サスペンダー、ゴルフバッグ、スキー用収納袋、冷蔵庫の開き戸のロック装置、水筒の蓋部分のロック装置、サッシや窓などの引戸のロック装置、を始めとして、日用品、家電製品、建物の付帯物等、各種のものが挙げられる。
【００４８】
また、上述の実施の形態では、上方側（Ｚ１側）に位置する揺動部６３を押し込んで、雄側部材２０とメス側部材３０の連結状態を解除するようにしている。しかしながら、たとえば揺動部は、メス側部材３０の横側（Ｙ１側またはＹ２側）に位置する構成を採用しても良い。この場合、揺動部をＹ方向に押し込んだ際に、その押し込み力を伝達するためのカム機構やリンク機構、ギヤ機構その他の駆動伝達機構を、メス側部材３０に設けるように構成しても良い。また、揺動部６３の上面には、ユーザによる押し込み易さの向上を図るために、上方側に向かう突起が設けられる構成を採用してもよい。なお、突起は別体的でも一体的でもいずれでもよい。
【符号の説明】
【００４９】
１０…バックル（連結具に対応）、２０…オス側部材、２１，４１…ベルト取付部、２２…差込部、３０…メス側部材、４０…ソケット部材、４２…連結部、５０…爪部材、５１…ベース部、５２…係止爪、５２ａ…鉤部、５３…フック部、５３ａ…アーム、５３ｂ…保持突起、５４…案内ロッド、６０…ボタン部材、６１…枠体部、６２…空間部、６３…揺動部、６４…ヒンジ部、６５…テーパ突起部（突起部に対応）、６５ａ…傾斜部、６６…フランジ部、６７…ロック突起、２１１…枠体、２１２…囲み孔、２１３…掛止部、２１４…スリット、２２１…凹嵌部、２２２…急斜面部、２２３…頂部、２２４…緩斜面部、２２５…湾曲部、２２６…ガイド孔、４１１…掛止部、４１２…スリット、４２１…ソケット穴、４２１ａ…上側内壁、４２２…ボタン用開口部、４２３…リブ、４２４…受部、４２５…爪孔、４２６…支持凸部
【図１】
2014100419.tif 000003
【図２】
2014100419.tif 000004
【図３】
2014100419.tif 000005
【図４】
2014100419.tif 000006
【図５】
2014100419.tif 000007
【図６】
2014100419.tif 000008
【図７】
2014100419.tif 000009
【図８】
2014100419.tif 000010
【図９】
2014100419.tif 000011
【図１０】
2014100419.tif 000012
【図１１】
2014100419.tif 000013
【図１２】
2014100419.tif 000014
【図１３】
2014100419.tif 000015
【図１４】
2014100419.tif 000016
【図１５】
2014100419.tif 000017
【図１６】
2014100419.tif 000018